(57)【要約】  放送局４０から送信されるデータ情報は、ＲＤＳデコーダ２２において文字情報と当該文字情報の位置を示す文字位置情報とに復号され、文字情報と文字位置情報とが対応付けられてＲＡＭ３２に記憶される。文字情報抽出部３４は、ＲＡＭ３２に記憶された文字情報を抽出し、表示部２８に文字情報を表示する。文字情報比較部３６は、データ情報に含まれる第１の文字情報と、ＲＡＭ３２に記憶され、当該第１の文字情報と文字位置情報が共通する第２の文字情報とを読み出して、これらを比較する。第１の文字情報と第２の文字情報とが異なる場合には、文字情報抽出部３４は、ＲＡＭ３２に記憶された文字情報を消去する。
2012073464.tif 000002
【特許請求の範囲】
【請求項１】
番組情報とデータ情報とが多重化された放送電波から、前記データ情報に含まれる文字情報と当該文字情報の位置を示す文字位置情報とを復号する復号部と、
前記復号された文字情報を前記文字位置情報と対応付けて記憶する記憶部と、
受信された放送電波に含まれる第１の文字情報と、前記記憶部内に記憶され、当該第１の文字情報と前記文字位置情報が共通する第２の文字情報とを比較する文字情報比較部と、
前記記憶部に記憶された前記文字情報を抽出するとともに、前記第１の文字情報と前記第２の文字情報とが異なる場合には、前記記憶部に記憶された前記文字情報を消去する文字情報抽出部と、
前記文字情報抽出部によって抽出された前記文字情報を出力表示する表示部とを備えたことを特徴とする放送受信装置。
【請求項２】
前記データ情報は、出力表示すべき前記文字情報に対応する前記文字位置情報を示す表示範囲情報を含み、
前記文字情報抽出部は、前記記憶部に記憶された前記文字情報の中から、前記表示範囲情報で示される前記文字位置情報に対応する前記文字情報を抽出することを特徴とする、請求項１記載の放送受信装置。
【請求項３】
前記表示範囲情報は複数設けられ、前記文字情報抽出部は、個々の前記表示範囲情報で示される前記文字位置情報に対応する前記文字情報が前記記憶部に記憶されたときに、対応する文字情報を抽出することを特徴とする、請求項２記載の放送受信装置。
【請求項４】
前記表示範囲情報は、出力表示すべき前記文字情報の先頭の文字番号を示す先頭位置情報と、表示すべき文字情報の長さを示す長さ情報とを含むことを特徴とする、請求項２または３記載の放送受信装置。
【請求項５】
番組情報とデータ情報とが多重化された放送電波から、前記データ情報に含まれる文字情報と当該文字情報の位置を示す文字位置情報とを復号する復号ステップと、
前記復号された文字情報を前記文字位置情報と対応付けて記憶部に記憶するステップと、
受信された放送電波に含まれる第１の文字情報と、前記記憶部内に記憶され、当該第１の文字情報と前記文字位置情報が共通する第２の文字情報とを比較する文字情報比較ステップと、
前記記憶部に記憶された前記文字情報を抽出するとともに、前記第１の文字情報と前記第２の文字情報とが異なる場合には、前記記憶部に記憶された前記文字情報を消去する文字情報抽出ステップと、
前記文字情報抽出ステップにおいて抽出された前記文字情報を出力表示する表示ステップとを備えたことを特徴とする放送受信方法。
【発明の詳細な説明】
【技術分野】
【０００１】
本発明は、放送情報とデータ情報とが多重化された放送電波を受信するとともに、放送電波に含まれるデータ情報を効果的に出力表示するための放送受信装置及び方法に関する。
【背景技術】
【０００２】
ＦＭラジオの規格として定められているＲＤＳ（Radio Data System）では、ラジオテキストと呼ばれるデータ情報（例えば楽曲名やアーティスト名の情報）を、放送番組の内容を示す放送情報に重畳して送信することが可能となっている。放送受信装置では、受信した放送電波から、放送情報とテキスト情報を検出した後、テキスト情報を出力表示する。これにより、例えば、ラジオ番組で楽曲を放送中に、当該楽曲名やアーティスト名の情報をモニタに表示することができる。【０００３】
ＲＤＳに準拠したラジオテキストでは、６４文字もしくは３２文字分の情報が送信可能とされており、６４文字分の情報は、４文字分のテキスト情報が含まれたグループ２Ａと呼ばれるデータによって送信され、３２文字分の情報は、２文字分のテキスト情報が含まれたグループ２Ｂと呼ばれるデータによって送信される。すなわち、１６個のグループ２Ａのデータを送信することで、６４文字の情報を伝送することができ、１６個のグループ２Ｂのデータを送信することで３２文字の情報を伝送することができる。また、グループ２Ａのデータには、当該４文字分のテキストの位置を示す文字位置情報が含まれており、これにより、放送受信装置において文字情報を適切な順番で並べられる。【０００４】
また、ＲＤＳのサービスの一つであるラジオテキストの拡張版であるラジオテキスト＋（ＲＴ＋）では、伝送される６４文字分のテキスト情報の中から、所望の情報のみを抽出して表示することができる。ラジオテキスト＋に含まれるグループ１１Ａのデータには、スタートマーカ及び長さマーカからなる表示範囲情報が含まれており、スタートマーカ及び長さマーカで規定される範囲に対応する文字位置情報の文字情報を抽出する。これにより、楽曲名やアーティスト名の情報のみを表示することができる。【０００５】
さらに、特許文献１に記載の放送受信装置では、スタートマーカ及び長さマーカで示される文字範囲の最終位置に対応する文字情報を検出したときに、表示すべき文字情報を確定する発明が開示されており、これにより６４文字分の全ての文字情報を受信することなく、迅速に文字情報を出力表示することができる。
【先行技術文献】
【特許文献】
【０００６】
【特許文献１】特開２００８−２２３４３号公報
【発明の概要】
【発明が解決しようとする課題】
【０００７】
ＲＤＳにおいて送信される文字情報の内容を変える場合（例えば、楽曲名やアーティスト名が変わった場合）、放送局は、グループ２Ａに含まれるテキストＡ／Ｂフラグを切り替えて送信する。受信機側において、当該フラグの変化が検出されると、メモリ内の文字情報をリセットし、変更後の文字情報を順次記憶することで、変更後の文字情報が表示される。【０００８】
ここで、電波の受信状況が悪くグループ２Ａのデータを受信できなかった場合や、放送局においてテキストＡ／Ｂフラグが切り替えられずに送信された場合は、放送受信装置側においてテキストＡ／Ｂフラグの変化を検出できず、変化前と変化後の文字情報が混在された誤った情報が表示されてしまうという問題があった。【０００９】
本発明は、上記背景の下でなされたものである。本発明の目的は、放送局から送信された文字情報が変化したことを確実に検出して、誤表示を防止することができる放送受信装置及び方法を提供することにある。
【課題を解決するための手段】
【００１０】
本発明の一の態様である放送受信装置は、番組情報とデータ情報とが多重化された放送電波から、前記データ情報に含まれる文字情報と当該文字情報の位置を示す文字位置情報とを復号する復号部と、前記復号された文字情報を前記文字位置情報と対応付けて記憶する記憶部と、受信された放送電波に含まれる第１の文字情報と、前記記憶部内に記憶され、当該第１の文字情報と前記文字位置情報が共通する第２の文字情報とを比較する文字情報比較部と、前記記憶部に記憶された前記文字情報を抽出するとともに、前記第１の文字情報と前記第２の文字情報とが異なる場合には、前記記憶部に記憶された前記文字情報を消去する文字情報抽出部と、前記文字情報抽出部によって抽出された前記文字情報を出力表示する表示部とを備えた構成を有する。【００１１】
以下に説明するように、本発明には他の態様が存在する。したがって、この発明の開示は、本発明の一部の態様の提供を意図しており、ここで記述され請求される発明の範囲を制限することは意図していない。
【図面の簡単な説明】
【００１２】
【図１】図１は、本発明の実施の形態における放送受信装置の構成を示す説明図
【図２】図２は、ＲＤＳのグループ２Ａのデータ構造を示す説明図
【図３】図３は、ＲＤＳのグループ３Ａのデータ構造を示す説明図
【図４】図４は、ＲＤＳのグループ１１Ａのデータ構造を示す説明図
【図５】図５は、グループ１１Ａのデータを受信したときの放送受信装置の動作を示すフロー図
【図６】図６は、グループ２Ａのデータを受信したときの放送受信装置の動作を示すフロー図
【図７】図７は、通常時における、ラジオテキスト＋のデータ処理方法を示す説明図
【図８】図８は、受信不良時における、ラジオテキスト＋の従来のデータ処理方法を示す説明図
【図９】図９は、本発明の実施形態における、ラジオテキスト＋のデータ処理方法を示す説明図
【発明を実施するための形態】
【００１３】
以下に本発明の詳細な説明を述べる。ただし、以下の詳細な説明と添付の図面は発明を限定するものではない。
【００１４】
本発明の放送受信装置は、番組情報とデータ情報とが多重化された放送電波から、前記データ情報に含まれる文字情報と当該文字情報の位置を示す文字位置情報とを復号する復号部と、前記復号された文字情報を前記文字位置情報と対応付けて記憶する記憶部と、受信された放送電波に含まれる第１の文字情報と、前記記憶部内に記憶され、当該第１の文字情報と前記文字位置情報が共通する第２の文字情報とを比較する文字情報比較部と、前記記憶部に記憶された前記文字情報を抽出するとともに、前記第１の文字情報と前記第２の文字情報とが異なる場合には、前記記憶部に記憶された前記文字情報を消去する文字情報抽出部と、前記文字情報抽出部によって抽出された前記文字情報を出力表示する表示部とを備えた構成を有している。
【００１５】
この構成により、受信した文字情報が記憶部内の文字情報と異なる場合には、文字情報の内容が更新されたと判定して、記憶部内に記憶された古い文字情報を消去するようにしたから、誤った情報が表示されるのを確実に防止することができる。
【００１６】
本発明の放送受信装置において、前記データ情報は、出力表示すべき前記文字情報に対応する前記文字位置情報を示す表示範囲情報を含み、前記文字情報抽出部は、前記記憶部に記憶された前記文字情報の中から、前記表示範囲情報で示される前記文字位置情報を抽出する。これにより、受信した文字情報の中から、必要な情報のみが選択されて表示されるので、表示効果を高めることができる。
【００１７】
本発明の放送受信装置において、前記表示範囲情報は複数設けられ、前記文字情報抽出部は、個々の前記表示範囲情報で示される前記文字位置情報に対応する前記文字情報が前記記憶部に記憶されたときに、対応する文字情報を抽出する。これにより、表示すべきタグ情報が複数存在する場合に、個々のタグ情報を直ちに表示することができ、全ての文字情報が取得されるまで何も表示されないという状況をなくすことができる。
【００１８】
また、前記表示範囲情報は、出力表示すべき前記文字情報の先頭の文字番号を示す先頭位置情報と、表示すべき文字情報の長さを示す長さ情報とを含むようにしても良い。
【００１９】
本発明の放送受信装置は、番組情報とデータ情報とが多重化された放送電波から、前記データ情報に含まれる文字情報と当該文字情報の位置を示す文字位置情報とを復号する復号ステップと、前記復号された文字情報を前記文字位置情報と対応付けて記憶部に記憶するステップと、受信された放送電波に含まれる第１の文字情報と、前記記憶部内に記憶され、当該第１の文字情報と前記文字位置情報が共通する第２の文字情報とを比較する文字情報比較ステップと、前記記憶部に記憶された前記文字情報を抽出するとともに、前記第１の文字情報と前記第２の文字情報とが異なる場合には、前記記憶部に記憶された前記文字情報を消去する文字情報抽出ステップと、前記文字情報抽出ステップにおいて抽出された前記文字情報を出力表示する表示ステップとを備えた構成を有する。この構成によっても、誤った情報が表示されるのを確実に防止することができるという効果を有する。
【００２０】
以下、本発明の一実施形態における放送受信装置について、図面を用いて説明する。図１は、放送受信装置１０の構成を示す説明図であり、この放送受信装置１０は車載用ＦＭラジオとして用いられ、スピーカ１２およびアンテナ１４とともに車両に搭載されている。
【００２１】
放送受信装置１０は、フロントエンド１６、ＦＭ復調部１８、オーディオアンプ２０、復号部としてのＲＤＳデコーダ２２、制御部２４、操作部２６、表示部２８、ＲＯＭ３０及び記憶部としてのＲＡＭ３２を備えた構成を有する。
【００２２】
アンテナ１４は、放送局４０からのＦＭ電波を受信する。このＦＭ電波には、ラジオ放送番組の内容を示す番組情報（ラジオ放送の音声信号）と、ＲＤＳ規格に従うデータ情報とが重畳されている。フロントエンド１６は、制御部２４からの図示しない周波数制御信号に基づいて、アンテナ１４で受信したＦＭ電波のうち、選局周波数に対応するＦＭ電波を中間周波信号に変換して、ＦＭ復調部１８へ送る。
【００２３】
ＦＭ復調部１８は、フロントエンド１６からの中間周波信号を復調するとともに、復調後の信号を番組情報とＲＤＳ規格のデータ情報とに分離する。これらの情報のうち、番組情報は、オーディオアンプ２０に送られて増幅された後、車両内に設置された複数のスピーカ２５に送られる。これにより、ラジオ放送がスピーカ２５より出力される。
【００２４】
ＲＤＳデコーダ２２は、ＦＭ復調部１８からのデータ情報の復調信号を復号して、ラジオテキストや交通メッセージを含む各種情報を抽出する。ＲＤＳデコーダ２２によって抽出された情報は制御部２４に送られる。
【００２５】
制御部２４は、ＣＰＵ（Central  Processing  Unit）などの演算処理部を有するものであり、放送受信装置１０を構成する各部の動作を制御する。また、制御部２４は、ＲＤＳデコーダ２２からのデータに含まれる文字情報をＲＡＭ３２に記憶するとともに、ＲＡＭ３２に記憶されている文字情報を抽出する文字情報抽出部３４と、ＲＤＳデコーダ２２からの文字情報とＲＡＭ３２に記憶された文字情報とを比較する文字情報比較部３６とを含む。
【００２６】
操作部２６は、例えばＦＭラジオ本体に設置されるタッチパネルや操作ボタン、専用のリモコン等の入力手段であり、視聴すべき番組を選局する際に使用される。表示部２８は、例えばＬＣＤパネルであって、選局された放送局の名称や、データ情報に含まれる文字情報を出力表示する。
【００２７】
ＲＯＭ３０には、制御部２４において実行されるプログラムや各種設定情報等のデータが記憶されており、プログラムを実行する際に制御部２４に読み出される。ＲＡＭ３２は、制御部２４が所定の演算処理を実行する際に、データの一時的な記憶領域として使用されるとともに、ラジオテキストおよびラジオテキスト＋に含まれる各種情報を一時的に記憶する。
【００２８】
図２は、ＲＤＳのタイプ２Ａのグループ（以下、「グループ２Ａ」という。）のデータフォーマットを示したものである。なお、ＲＤＳに準拠したデータ単位は、４つのブロックから構成されており、各ブロックには情報ワードと検査ワードとが含まれるが、検査ワードについては図示を省略する。
【００２９】
図２において、１番目のブロック（ブロック１）には番組識別（ＰＩ）コードが含まれ、２番目のブロック（ブロック２）にはグループタイプ（ここでは２Ａ）を示すグループタイプコードと、１ビット分のテキストＡ／Ｂフラグと、４ビット分のテキストセグメントアドレスコードが含まれる。テキストＡ／Ｂフラグは、放送局４０から送信されるテキスト情報の内容（例えば、曲名やアーティスト名）が変化したときに、その値が変化する。また、テキストセグメントアドレスコードは、送信される４文字（１組）の文字情報が、６４文字（１６組）のラジオテキストの何番目に位置しているかを示す文字位置情報である。
【００３０】
グループ２Ａの３番目、４番目のブロック（ブロック３、ブロック４）には、２文字分のラジオテキスト情報が含まれており、合わせて４文字分のテキスト情報が書き込まれている。このため、６４文字分の文字情報は１６個のグループ２Ａのデータにより伝送される。なお、これら６４文字分の全ての文字情報を繰り返し送信しても良いし、一部の文字情報（例えば、１〜１０文字目までの情報）のみを繰り返し送信しても良い。いずれの場合であっても、前述したテキストセグメントアドレスコードにより、送信される文字情報の位置を識別することができる。
【００３１】
図３は、ＲＤＳのタイプ３Ａのデータフォーマットを示したものである。ブロック２には、グループタイプコードとして「３Ａ」の情報が書き込まれている。また、ブロック４にはラジオテキスト＋であることを示すＡＩＤ（Application Identification）を意味する「４Ｂ０７」の値が書き込まれており、また、ブロック２の末尾には、ＯＤＡ（Open Data Application）グループを指定する「１１Ａ」の情報が書き込まれている。ここで、ＯＤＡグループとは、放送局がその内容を自由に定義できるグループ名を意味する。ＡＩＤを上記のように指定することで、ＯＤＡグループで指定されたグループ１１Ａにラジオテキスト＋の情報を含めて送信することができる。
【００３２】
図４は、ＲＤＳのタイプ１１Ａのデータフォーマットを示したものである。ブロック１にはＰＩコードが書き込まれ、ブロック２にはグループのタイプを示す「１１Ａ」のデータが書き込まれている。
【００３３】
また、グループ１１Ａのデータには、コンテントタイプ（Content Type）、先頭位置情報である、スタートマーカ（Start Marker）、長さ情報である、長さマーカ（Length Marker）の３種類のデータの組が、２組分設けられている。
【００３４】
ここで、コンテントタイプは、データ放送で送信されるテキスト情報が意味するタグ情報の種類を示すデータであり、６４種類のタグ情報が予め定められている。例えば、コンテントタイプが「１」の場合は楽曲名を、コンテントタイプが「４」の場合はアーティスト名を、それぞれ示している。
【００３５】
また、スタートマーカは、コンテントタイプで示される各タイプの文字情報の開始（先頭）文字の位置を示し、長さマーカは、文字情報の長さを示す。なお、スタートマーカのカウント値は（ラジオテキストで示される文字番号−１）と定められており、また、文字情報の実際の長さは（長さマーカのカウント値＋１）と定められている。例えば、スタートマーカが「０」で長さマーカが「１０」である場合、対応するテキスト情報は、１番目の文字から始まる１１文字分の情報であることが示される。なお、スタートマーカ及び長さマーカの情報が、本発明における「表示範囲情報」に対応する。
【００３６】
次に、文字情報抽出部３４及び文字情報比較部３６において、文字情報を抽出する処理について、図５及び図６のフローチャートを用いて説明する。図５は、受信した文字列の表示範囲を示す表示範囲情報を設定する処理を示すフローチャートである。まず、文字情報抽出部３４は、ＲＤＳデコーダ２２より送られるデータのグループタイプコードを検出するとともに（Ｓ１０）、検出されたグループタイプコードが１１Ａであるか否かをチェックする（Ｓ１１）。グループ１１Ａのデータが検出された場合には、文字情報抽出部３４は、コンテントタイプ、スタートマーカ及び長さマーカの情報を取得し、これらの情報をＲＡＭ３２に記憶する（Ｓ１２）。
【００３７】
図６は、グループ２Ａのデータを受信した場合の処理手順を示したフローチャートである。文字情報抽出部３４は、ＲＤＳデコーダ２２より送られるデータのグループタイプコードを検出するとともに（Ｓ２０）、検出されたグループタイプコードが２Ａであるか否かをチェックする（Ｓ２１）。受信したデータがグループ２Ａであるときは、ステップＳ２２に移り、そうでなければ処理を終了する。
【００３８】
ステップＳ２２において、文字情報抽出部３４は、当該グループ２Ａのデータに含まれるテキストＡ／Ｂフラグが、ＲＡＭ３２に記憶されているテキストＡ／Ｂフラグと一致しているか否か（すなわち、放送局から送信される文字情報が変化したか否か）を検出する。
【００３９】
これらのテキストＡ／Ｂフラグが一致していない場合には、文字情報抽出部３４は、ステップＳ２３に移り、変化後のテキストＡ／ＢフラグのデータをＲＡＭ３２に記憶する（Ｓ２３）。そして、表示すべき文字情報を更新するために、ＲＡＭ３２に記憶されている文字情報及び表示範囲情報を消去し（Ｓ２４）、新たに受信したグループ２Ａのデータに含まれる４文字分の文字情報をＲＡＭ３２に保存する（Ｓ２５）。
【００４０】
一方、受信したテキストＡ／Ｂフラグが一致していた場合は、ステップＳ２６に移り、文字情報抽出部３４は、グループ２Ａに含まれるテキストセグメントアドレス（文字位置情報）及び文字情報を取得する。そして、文字情報比較部３６は、取得した文字位置情報に対応する文字情報がＲＡＭ３２に記憶されているか否かを検出する（Ｓ２７）。その結果、対応する文字情報がない場合は、新規に取得された文字情報であると判定して、ステップＳ２９に移り、受信した文字情報をＲＡＭ３２に保存する（Ｓ２９）。
【００４１】
受信した文字位置情報に対応する文字情報が、ＲＡＭ３２内に記憶されている場合は、文字情報比較部３６は、新たに受信した文字情報が、当該ＲＡＭ３２内に記憶された文字情報と一致しているか否かをチェックする（Ｓ２８）。その結果、文字列が異なっていることが検出されると、文字情報比較部３６は、放送局から送信される文字情報が変化したと判定し、ＲＡＭ３２に記憶されている文字情報及び表示範囲情報を消去する（Ｓ２４）。そして、文字情報抽出部３４は、新たに受信したグループ２Ａのデータに含まれる４文字分の文字情報をＲＡＭ３２に保存する（Ｓ２５）。これにより、表示すべき文字情報を変更することができる。
【００４２】
一方、受信した文字情報がＲＡＭ３２に記憶済みの文字情報と一致している場合は、文字情報抽出部３４は、表示範囲情報で定められる文字位置に対応する文字情報が、ＲＡＭ３２内に記憶されているか否かを判定する（Ｓ３０）。その結果、表示すべき全ての文字情報がＲＡＭ３２内に記憶されている場合は、文字情報抽出部３４は、対応する文字情報をＲＡＭ３２から抽出して表示部２８に出力表示する（Ｓ３１）。一方、全ての文字列情報がＲＡＭ３２に記憶されていない場合には、文字情報を出力表示せずに処理を終了する。
【００４３】
以下、上記構成による放送受信装置の作用について説明する。図７は、通常時におけるラジオテキスト＋のデータ処理方法を示すものであり、図７の例では、アーティスト名が「Ｂｅａｔｌｅｓ」で曲名が「Ｌｅｔ  ｉｔ  Ｂｅ」であるテキスト情報（テキスト１）を表示し、続いて「ＳＷＲ３  ＯｌｄＭｅｍ＠ｓｗｒ３．ｄｅ」のテキスト情報（テキスト２）を表示した後、アーティスト名が「Ｔｈｅ  ＲｏｌｌｉｎｇＳｔｏｎｅｓ」で曲名が「Ｓｔａｒｔ  Ｍｅ  Ｕｐ」のテキスト情報（テキスト３）を表示する。
【００４４】
まず、グループ３Ａのデータを受信して、ラジオテキスト＋のデータを処理することを確定した後、グループ２Ａないしグループ１１Ａのデータを逐次受信する。グループ２Ａのデータには、例えば「Ｂｅａｔ」、「ｌｅｓ／」といった４文字分の文字情報と、テキストの内容が変化したことを示すテキストＡ／Ｂフラグ、及び、当該文字情報の位置を示す文字位置情報（テキストセグメントアドレス）とが含まれる。なお、図７〜９の例において、アンダーバー「＿」で示されるデータは空白を意味する。
【００４５】
図７において、４番目に受信されるグループ１１Ａのデータ（「ｌｅｓ／」の文字情報を含むグループ２Ａのデータの後に受信されるデータ）には、アーティスト名を表示するためのコンテントタイプに対応するスタートマーカ１として「１」、長さデータ１として「７」の情報が含まれており、これは１〜７文字目の情報が「アーティスト名」であることを意味する。さらに、同じグループ１１Ａのデータには、曲名情報を表示するためのコンテントタイプに対応するスタートマーカ２として「９」、長さデータ１として「９」の情報が含まれており、これは９〜１７文字目の文字情報が曲名であることを意味する。
【００４６】
そして、テキスト１として受信される文字情報が、「Ｂｅａｔｌｅｓ／Ｌｅｔ  ｉｔ  Ｂｅ」である場合、１〜７文字目の「Ｂｅａｔｌｅｓ」と、９〜１７文字目の「Ｌｅｔ  ｉｔ  Ｂｅ」が、それぞれアーティスト名、曲名として抽出され、表示部２８に表示される。なお、このテキスト１として受信され、ＲＡＭ３２に記憶される文字情報には、「Ｂｅａｔｌｅｓ」と「Ｌｅｔ  ｉｔ  Ｂｅ」以外の情報を含んでいても良いが（図７〜９では簡略化のために省略している）、表示範囲情報が上記のように定められているため、１〜７文字目の「Ｂｅａｔｌｅｓ」と、９〜１７文字目の「Ｌｅｔ  ｉｔ  Ｂｅ」以外の文字情報は、表示部２８に表示されない。
【００４７】
次いで、テキスト１とは異なるテキスト情報（テキスト２）が送信されるときは、テキストＡ／Ｂフラグが０から１に切り替えられる。これにより、受信側において、送信される文字情報が変化したことを検出することができる。そして、グループ１１Ａのデータから、メールアドレスの情報が１〜１９文字目に含まれていることが検出され、対応する文字情報「ＳＷＲ３  ＯｌｄＭｅｍ＠ｓｗｒ３．ｄｅ」の文字列が出力表示される。
【００４８】
その後、テキスト２とは異なるテキスト情報（テキスト３）が送信されるときは、再び、テキストＡ／Ｂフラグが１から０に切り替えられる。そして、グループ１１Ａのデータから、アーティスト名情報が１〜１７文字目に、曲名情報が１９〜２９文字目に含まれていることが検出され、１〜１７文字目の「Ｔｈｅ  ＲｏｌｌｉｎｇＳｔｏｎｅｓ」と、１９〜２９文字目の「Ｓｔａｒｔ  Ｍｅ  Ｕｐ」を、それぞれアーティスト名、曲名として抽出され、表示部２８に出力表示される。
【００４９】
ここで、図８に示すように、データ放送の受信状況が悪化して、テキスト２に対応するグループ２ＡのＲＤＳデータが全く受信できなかった場合、次に受信されるグループ２Ａのデータ（テキスト３に対応）に対応するテキストＡ／Ｂフラグが０のままであるため、従来の受信装置では、テキスト情報が切り替わったことを検出できない。そうなると、ＲＡＭ３２に記憶される文字情報は「Ｂｅａｔｌｅｓ／ｉｎｇＳｔｏｎｅｓ／Ｓｔａｒｔ・・・」となり、１〜７文字目の「Ｂｅａｔｌｅｓ」と、９〜１７文字目の「ｉｎｇＳｔｏｎｅｓ」を、それぞれアーティスト名、曲名として出力表示するため、誤った文字情報が出力される。このような状況は、放送局において、テキストＡ／Ｂフラグを変更することなく情報を送信するような場合にも、同様に当てはまる。
【００５０】
このため、本実施形態に係る放送受信装置では、受信した文字情報と、ＲＡＭ３２に記憶された文字情報とを比較して、送受信された文字情報が変化したか否かを検出するようにしている。図９は、本実施形態におけるラジオテキスト＋のデータ処理方法を示すものである。テキスト２に対応するグループ２Ａのデータが全く受信できず、次に受信したグループ２Ａの文字情報が「ｉｎｇＳ」であった場合（その文字位置情報は「３」（９〜１２番目の文字に対応））、ＲＡＭ３２内に記憶されている文字情報「Ｂｅａｔｌｅｓ／Ｌｅｔ／」のうちの９〜１２番目の文字情報「Ｌｅｔ／」と、新たに受信した文字情報「ｉｎｇＳ」とが比較される。
【００５１】
その結果、これら２つの文字情報が異なることから、文字情報比較部３６は、テキスト１とは異なった文字情報が送受信されていることを検出し、ＲＡＭ３２内の文字情報及び表示範囲情報を消去し、新たな文字情報及び表示範囲情報を取得する。これにより、文字情報が受信できなかったり、放送局においてテキストＡ／Ｂフラグが切り替えられなかった場合であっても、誤った情報を表示することを確実に防止することができる。
【００５２】
その後、グループ１１Ａのデータを受信して、アーティスト名情報が１〜１７文字目に、曲名情報が１９〜２９文字目に含まれていることが検出される。その後、グループ２Ａのデータを受信して、ＲＡＭ３２内の文字情報が「・・・ｉｎｇＳｔｏｎｅｓ／Ｓｔａｒｔ  Ｍｅ  Ｕｐ」となったときに、１９〜２９文字目の情報が確定されたことが検出され、曲名である「Ｓｔａｒｔ  Ｍｅ  Ｕｐ」が先に出力表示される。次いで、グループ２Ａのデータを受信し、ＲＡＭ内の情報が、「Ｔｈｅ  ＲｏｌｌｉｎｇＳｔｏｎｅｓ／Ｓｔａｒｔ  Ｍｅ  Ｕｐ・・・」となったときに、１〜１７文字目の情報が確定され、アーティスト名である「Ｔｈｅ  ＲｏｌｌｉｎｇＳｔｏｎｅｓ」が出力表示される。
【００５３】
このように、表示すべき文字情報が複数存在する場合に、一方の表示範囲情報に対応する全ての文字情報が確定された時点で、文字情報を表示することにより、必要な文字情報を直ちに表示することができる。
【００５４】
以上、本発明の実施の形態を例示により説明したが、本発明の範囲はこれらに限定されるものではなく、請求項に記載された範囲内において目的に応じて変更・変形することが可能である。
【００５５】
例えば、上記の実施形態では、楽曲及びアーティストの情報を表示しているが、本発明はこれに限られることはなく、例えば、ラジオで放送中の店舗の場所情報、スポーツの結果情報といった情報をグループ２Ａのデータによって送信する場合にも、本発明を適用することができる。
【００５６】
また、上記の実施形態では、車載用のＦＭラジオを例にして説明したが、本発明はこれに限定されることはなく、例えば、据置型や携帯型のラジオ、携帯電話機、テレビ等の他の電子機器に適用することができる。
【００５７】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【００５８】
以上のように、本発明にかかる放送受信装置は、受信した文字情報と記憶部内に記憶された文字情報とが一致しない場合には、記憶部内に記憶された文字情報をリセットするようにして、誤った情報が表示されるのを確実に防止することができるという効果を有し、ＦＭラジオ等の電子機器に適用することができ、有用である。
【符号の説明】
【００５９】
１０  放送受信装置
１４  アンテナ
１６  フロントエンド
１８  ＦＭ復調部
２２  ＲＤＳデコーダ
２４  制御部
２８  表示部
３０  ＲＯＭ
３２  ＲＡＭ
３４  文字情報抽出部
３６  文字情報比較部
【図１】
2012073464.tif 000003
【図２】
2012073464.tif 000004
【図３】
2012073464.tif 000005
【図４】
2012073464.tif 000006
【図５】
2012073464.tif 000007
【図６】
2012073464.tif 000008
【図７】
2012073464.tif 000009
【図８】
2012073464.tif 000010
【図９】
2012073464.tif 000011
【国際調査報告】
2012073464.tif 000012
2012073464.tif 000013